(57)【要約】【課題】  本発明は、特に、温水配管系統のエア抜き運転を効果的に行う温水式暖房システム及びそのエア抜き運転方法に関する。【解決手段】熱源機２の運転に伴い、エア抜き運転制御部４４は前回エア抜き運転からの経過時間のカウントを行い、経過時間が７２０時間を超えたかを判定する（ステップＳ１０１）。７２０時間を超えた場合には、次に現在時刻が２２：００−６：００であるかを判断する（ステップＳ１０２）。該当する場合には（Ｓ１０２においてＮＯ）、該当しない時間帯になるまで継続待機する。該当しない場合には（Ｓ１０２においてＹＥＳ）、夜間時間帯でないと判断しエア抜き運転を指示する（ステップＳ１０３）。エア抜き運転時は、熱動弁Ｖ１開とし、循環ポンプＰ１を稼働させる。その際、暖房系統の燃焼は行わない。所定の時間（例えば１０分間）エア抜き運転を行い（ステップＳ１０３）、時間経過後エア抜き運転を終了する（ステップＳ１０４）。終了後、タイマーをリセットして改めてカウントを行う（ステップＳ１０５）。  【選択図】図１
2005195311.tif 000002
【特許請求の範囲】
【請求項１】
熱源機と、一又は複数の放熱端末器を備え、かつ、予め定められた時間間隔で温水循環系統のエア抜き運転を行う手段を備えた温水式暖房システムにおいて、
熱源機又はいずれかの放熱端末器の稼働状態を検知してエア抜き運転を開始させるトリガー手段を備えて成ることを特徴とする温水式暖房システム。
【請求項２】
前記トリガー手段が、いずれかの放熱端末器のタイマー予約時間から逆算した所定の時刻にエア抜き運転開始を指示する手段であることを特徴とする請求項１に記載の温水式暖房システム。
【請求項３】
前記熱源機は、さらに熱源機リモコンを備え、かつ、前記トリガー手段が、前記熱源機リモコンの内蔵時計に基づき夜間時間帯を回避してエア抜き運転開始を指示する手段であることを特徴とする請求項１又は２に記載の温水式暖房システム。
【請求項４】
前記熱源機は、さらに自動風呂機能を備え、かつ、前記トリガー手段が、自動風呂機能のいずれかの機能による稼働状態を検知してエア抜き運転開始を指示する手段であることを特徴とする請求項１乃至３に記載の温水式暖房システム。
【請求項５】
前記トリガー手段が、風呂リモコンからの浴槽水抜き時の自動配管洗浄指示信号を検知してエア抜き運転開始を指示する手段であることを特徴とする請求項４に記載の温水式暖房システム。
【請求項６】
前記トリガー手段が、風呂追焚完了を検知してエア抜き運転開始を指示する手段であることを特徴とする請求項４又は５に記載の温水式暖房システム。
【請求項７】
前記トリガー手段が、風呂リモコンからの自動湯張り指示信号を検知してエア抜き運転開始を指示する手段であることを特徴とする請求項４乃至６に記載の温水式暖房システム。
【請求項８】
請求項７において、さらに、風呂追焚時にはエア抜き運転を停止する手段を備えて成ることを特徴とする温水式暖房システム。
【請求項９】
熱源機と、一又は複数の放熱端末器を備え、かつ、予め定められた時間間隔で温水循環系統のエア抜き運転を行う手段を備えた温水式暖房システムにおいて、前記時間経過後に熱源機又はいずれかの放熱端末器の状態判定を検知してエア抜き運転を開始することを特徴とする温水式暖房システムのエア抜き運転方法。
【請求項１０】
いずれかの前記放熱端末器のタイマー予約運転開始時刻の一定時間前にエア抜き運転を開始することを特徴とする請求項９に記載の温水式暖房システムのエア抜き運転方法。
【請求項１１】
前記熱源機は、さらに熱源機リモコンを備え、熱源機リモコンの内蔵時計に基づいて、夜間時間帯を回避してエア抜き運転を開始することを特徴とする請求項９又は１０に記載の温水式暖房システムのエア抜き運転方法。
【請求項１２】
前記熱源機は、さらに、自動風呂機能を備え、かつ、風呂リモコンからの浴槽水抜き時の自動配管洗浄指示信号があったときにエア抜き運転を開始することを特徴とする請求項９乃至１１に記載の温水式暖房システムのエア抜き運転方法。
【請求項１３】
前記熱源機は、さらに、自動風呂機能を備え、かつ、風呂追焚完了信号があったときにエア抜き運転を開始することを特徴とする請求項９乃至１１に記載の温水式暖房システムのエア抜き運転方法。
【請求項１４】
前記熱源機は、さらに、自動風呂機能を備え、かつ、風呂リモコンからの自動湯張り指示信号があったときにエア抜き運転を開始し、かつ、風呂追焚時にはエア抜き運転を停止することを特徴とする請求項９乃至１１に記載の温水式暖房システムのエア抜き運転方法。
【発明の詳細な説明】
【技術分野】
【０００１】
本発明は、温水配管により温水循環する温水式暖房システムに係り、特に、温水配管系統のエア抜き運転を効果的に行う温水式暖房システム及びそのエア抜き運転方法に関する。
【背景技術】
【０００２】
温水配管により温水を循環する温水式暖房システムにおいては、種々の原因により配管中に空気が入り込み、時間経過とともに循環経路内に滞留する現象が生じる。その結果、開放箇所である開放式シスターン（膨張タンク）が放熱端末より低所に設置されている場合、配管内の水が「水落ち」して、シスターンから溢れてしまうという問題がある。これを防止するために、定期的に循環ポンプを駆動させて温水配管内の水を強制的に循環させることにより、配管内に滞留するエアを抜く方法が提案されている（例えば、実開平５−８３６１７号公報）。しかし、この方法では、エア抜き運転が夜間に行われる場合には騒音の問題があり、また、エア抜き運転と暖房運転が重なる場合には暖房対象でない部屋の放熱端末に温熱が供給されるという不都合が生じてしまうという問題がある。
【特許文献１】実開平５−８３６１７号公報
【発明の開示】
【発明が解決しようとする課題】
【０００３】
本発明は、このような問題を解決するためのものであって、定期的エア抜き運転時に騒音や暖房対象でない部屋への温水循環を防止するための技術を提供するものである。
【課題を解決するための手段】
【０００４】
本発明は、以下の内容を要旨とする。すなわち、
【０００５】
（１）熱源機と、一又は複数の放熱端末器を備え、かつ、予め定められた時間間隔で温水循環系統のエア抜き運転を行う手段を備えた温水式暖房システムにおいて、熱源機又はいずれかの放熱端末器の稼働状態を検知してエア抜き運転を開始させるトリガー手段を備えて成ることを特徴とする温水式暖房システム。
【０００６】
本発明によれば、定期的エア抜き運転を行う前に熱源機リモコン又は放熱端末器側の稼働状態を判定するため、騒音の問題やエア抜き運転と暖房運転が重なる場合にはエア抜き運転を延期することができる。
【０００７】
ここにいう「稼働状態を検知して」とは、利用者の活動時間帯と推定される熱源機、熱源機リモコン、放熱端末器等の状態を検知し、これをトリガーとしてエア抜き運転を開始させることを意味する。ここにいう「稼働状態」は、稼働中及び稼働予約を含む概念である。
【０００８】
（２）前記トリガー手段が、いずれかの放熱端末器のタイマー予約時間から逆算した所定の時刻にエア抜き運転開始を指示する手段であることを特徴とする（１）に記載の温水式暖房システム。
【０００９】
タイマー予約運転を行う時間を考慮してエア抜き運転を開始するものである。このような時間であれば利用者は熱源機等の稼働を予期しているため、クレーム等の対象となることが少ない。
【００１０】
（３）前記熱源機は、さらに熱源機リモコンを備え、かつ、前記トリガー手段が、前記熱源機リモコンの内蔵時計に基づき夜間時間帯を回避してエア抜き運転開始を指示する手段であることを特徴とする（１）又は（２）に記載の温水式暖房システム。
【００１１】
通常、熱源機リモコンは時計機能を備えているため、これを利用して利用者の活動時間帯に合わせてエア抜き運転開始を開始するものである。
【００１２】
（４）前記熱源機は、さらに自動風呂機能を備え、かつ、前記トリガー手段が、自動風呂機能のいずれかの機能による稼働状態を検知してエア抜き運転開始を指示する手段であることを特徴とする（１）乃至（３）に記載の温水式暖房システム。
（５）前記トリガー手段が、風呂リモコンからの浴槽水抜き時の自動配管洗浄指示信号を検知して判定する手段であることを特徴とする温水式暖房システム。
（６）前記トリガー手段が、風呂追焚完了を検知してエア抜き運転開始を指示する手段であることを特徴とする（４）に記載の温水式暖房システム。
（７）前記トリガー手段が、風呂リモコンからの自動湯張り指示信号を検知してエア抜き運転開始を指示する手段であることを特徴とする（５）に記載の温水式暖房システム。
【００１３】
上記（５）〜（７）において、自動風呂機能を使用するのは通常、利用者の活動時間帯であるので、エア抜き運転のために熱源機を稼働させても問題はない。
（８）上記（７）において、さらに、風呂追焚時にはエア抜き運転を停止する手段を備えて成ることを特徴とする温水式暖房システム。
【００１４】
風呂追焚時は、後述するように熱源機の暖房運転が行われるため、他の放熱端末器にも温水が循環し、クレームの対象となりやすい。これを回避するため、風呂追焚時にはエア抜き運転を停止するものである。
（９）熱源機と、一又は複数の放熱端末器を備え、かつ、予め定められた時間間隔で温水循環系統のエア抜き運転を行う手段を備えた温水式暖房システムにおいて、前記時間経過後に熱源機又はいずれかの放熱端末器の状態判定に基づいてエア抜き運転を開始することを特徴とする温水式暖房システムのエア抜き運転方法。
（１０）いずれかの前記放熱端末器のタイマー予約運転開始時刻の一定時間前にエア抜き運転を開始することを特徴とする（９）に記載の温水式暖房システムのエア抜き運転方法。
（１１）前記熱源機は、さらに熱源機リモコンを備え、熱源機リモコンの内蔵時計に基づいて、夜間時間帯を回避してエア抜き運転を開始することを特徴とする（９）又は（１０）に記載の温水式暖房システムのエア抜き運転方法。
（１２）前記熱源機は、さらに、自動風呂機能を備え、かつ、風呂リモコンからの浴槽水抜き時の自動配管洗浄指示信号があったときにエア抜き運転を開始することを特徴とする（９）乃至（１１）に記載の温水式暖房システムのエア抜き運転方法。
（１３）前記熱源機は、さらに、自動風呂機能を備え、かつ、風呂追焚完了信号があったときにエア抜き運転を開始することを特徴とする（９）乃至（１１）に記載の温水式暖房システムのエア抜き運転方法。
（１４）前記熱源機は、さらに、自動風呂機能を備え、かつ、風呂リモコンからの自動湯張り指示信号があったときにエア抜き運転を開始し、かつ、風呂追焚時にはエア抜き運転を停止することを特徴とする（９）乃至（１１）に記載の温水式暖房システムのエア抜き運転方法。
【発明の効果】
【００１５】
定期的なエア抜き運転時を昼間又は生活時間帯に限定できるので、使用者に騒音等による不快感を与えることなくシステムを稼働させることが可能となる。
【発明を実施するための最良の形態】
【００１６】
以下、本発明に係る温水式暖房システムの実施形態について、図１乃至８を参照してさらに詳細に説明する。なお、重複を避けるため、各図において同一構成には同一符号を用いて示している。なお、本発明の範囲は特許請求の範囲記載のものであって、以下の実施形態に限定されないことはいうまでもない。
【００１７】
（第一の実施形態）
本実施形態は、定期的エア抜き運転が夜間時間帯に当たったときに、熱源機リモコンが有する内蔵時計に基づいてこの時間を避けてエア抜き運転を行う温水式暖房システムである。
【００１８】
図１は、本発明の第一の実施形態に係る温水式暖房システム１の全体構成を示すものである。同図において、温水式暖房システム１は、自動風呂機能を備えた給湯暖房機（熱源機）２、熱源機２の運転制御を行う熱源機リモコン５，暖房用放熱端末である床暖房パネル３、床暖房パネル３用リモコン６、浴槽４、全自動風呂用リモコン７を備えている。これら３つのリモコンと熱源機２に内蔵されている制御部１０間は通信制御線Ｃ１乃至Ｃ３で結ばれており、各リモコンから熱源機に対して運転指示可能に構成されている。  
【００１９】
熱源機２と床暖房パネル３間は暖房往側配管Ｈ１、暖房戻側配管Ｈ２で結ばれている。往側配管Ｈ１の経路中には閉止弁である熱動弁Ｖ１が設けられている。また、熱源機２と浴槽４に取り付けられている吐出・吸込口４ａ間は追焚往側配管Ｂ１、追焚戻側配管Ｂ２で結ばれており、さらに往側配管Ｂ１の経路中には熱動弁Ｖ２が設けられている。
【００２０】
熱源機２の給湯ラインは、水道供給配管Ｗ１、給湯配管Ｗ２、注湯配管Ｗ３により構成されている。ここに、注湯配管Ｗ３は接続部１４において追焚戻側配管Ｂ２に接続されており、後述する湯張り時には高温注湯水が給湯配管Ｗ４、追焚戻側配管Ｂ２を経由して浴槽４に注湯されるように構成されている。給湯配管Ｗ３には逆止弁Ｖ４及び電磁弁Ｖ３が設けられており、追焚戻側配管Ｂ２から熱源機２に戻る浴槽の湯が水道配管側に逆流しないように構成されている。なお、後述のように逆止弁Ｖ４及び電磁弁Ｖ３は、実際には熱源機２に内蔵されているが、ここでは便宜的に外部に示してある。
【００２１】
図２は熱源機２内部の詳細を示す図である。熱源機２は、筐体２ａ内部にシスターン１１，給湯用熱交換器Ｅ１、暖房用熱交換器Ｅ２、液液熱交換器である追焚用熱交換器Ｅ３を備えている。給湯用熱交換器Ｅ１、暖房用熱交換器Ｅ２は、実際には図示しないバーナ、燃焼用ファン、燃焼室、排気部等と一体化されているが、ここでは簡単のためこれらを省略して示している。また、同図には示されていないが、熱源機２は制御部１０を内蔵している。
【００２２】
熱源機２における暖房系統の構成は以下の通りである。シスターン１１内の温水は循環ポンプＰ１により暖房用熱交換器Ｅ２に送られ、ここで加熱されて、さらに分岐部１２、暖房往側配管Ｈ１を経由して床暖房パネル３に送られる。ここで放熱して、さらに、暖房戻側配管Ｈ２を経てシスターン１１に戻される。次に、追焚系統は一次側と二次側の２つの回路により構成されている。一次側回路は、シスターン１１→循環ポンプＰ１→熱交換器Ｅ２→配管Ｈ７→分岐１２→追焚用熱交換器Ｅ３→配管Ｈ８を経てシスターン１１に戻る回路により構成される。また、二次側回路は、熱交換器Ｅ３→循環ポンプＰ２→追焚往側配管Ｂ１→浴槽４→追焚戻側配管Ｂ２を経て戻熱交換器Ｅ３に戻る回路により構成される。なお、その際、風呂の湯は逆止弁Ｖ４により給湯配管側に逆流しないように構成されている。二次側回路において、追焚戻側配管Ｂ２の分岐１４近傍には水位センサ１５が設けられている。浴槽水抜きの際に、水位センサ１５は浴槽４に張られた湯の水位を検知して追焚戻側配管Ｂ２を洗浄する。
【００２３】
さらに、給湯配管系統は以下の通りである。水道供給配管Ｗ１から供給される水道水は、給湯用熱交換器Ｅ１で高温水となり、分岐１３から給湯配管Ｗ２を経由してシャワー等の給湯需要に供される。風呂湯張り時は電磁弁Ｖ３が開となり、給湯配管Ｗ３、追焚戻側配管Ｂ２を経由して浴槽４に注湯される。
【００２４】
図３は、熱源機２に内蔵される制御部１０の機能ブロックを示す図である。制御部１０は、給湯運転制御部４１、暖房運転制御部４２、全自動風呂制御部４３、エア抜き運転制御部４４を主要構成としており、上述の各リモコンからの信号指示に基づいて給湯暖房運転制御及び自動風呂機能に基づく運転制御を行う。なお、制御部１０のハード構成は、ＣＰＵ、ＲＯＭ、ＲＡＭを備えたマイコンにより実現することができる。
【００２５】
温水式暖房システム１は以上のように構成されており、次に図４をも参照して本実施形態におけるエア抜き運転制御フローについて説明する。熱源機２の運転に伴い、エア抜き運転制御部４４は前回エア抜き運転からの経過時間のカウントを行い、経過時間が７２０時間を超えたかを判定する（ステップＳ１０１）。超えていない場合には、さらに運転時間カウントを継続する（Ｓ１０１においてＮＯ）。７２０時間を超えた場合には、次に熱源機リモコンの現在時刻が２２：００−６：００であるかを判断する（ステップＳ１０２）。該当する場合には（Ｓ１０２においてＮＯ）、該当しない時間帯になるまで継続待機する。該当しない場合には（Ｓ１０２においてＹＥＳ）、夜間時間帯でないと判断してエア抜き運転を指示する（ステップＳ１０３）。エア抜き運転時は、熱動弁Ｖ１開とし、循環ポンプＰ１を稼働させる。その際、暖房系統の燃焼は行わない。所定の時間（例えば１０分間）エア抜き運転を行い（ステップＳ１０３）、時間経過後エア抜き運転を終了する（ステップＳ１０４）。終了後、タイマーをリセットして改めてカウントを行う（ステップＳ１０５）。
【００２６】
なお、本実施形態ではエア抜き運転インターバルを７２０時間としたが、これに限らず適切な時間を設定することが可能である（以下の各実施形態においても同様）。
【００２７】
また、本実施形態では熱源機リモコンが有する内蔵時計に基づいてエア抜き運転を開始する構成としたが、これに内蔵時計機能を備えた放熱端末等の時間に基づくことも可能である。
【００２８】
（第二の実施形態）
【００２９】
次に、本発明の他の実施形態について図５をも参照して説明する。本実施形態の構成は図１の温水式暖房システム１と同一であるので説明を省略する。本実施形態が上述の実施形態と異なる点は、上述の実施形態では熱源機リモコンの時刻情報に基づいてエア抜き運転の可否を判断していたのに対して、本実施形態では浴槽水抜き時の自動配管洗浄モードを検知してエア抜き運転を行う点である。
【００３０】
前回エア抜き運転からの経過時間の判定（ステップＳ２０１）については上述の実施形態と同一である。７２０時間を超えた場合、エア抜き運転制御部４４は自動風呂機能制御部４３において自動配管洗浄モードにあるか否かを判定する（ステップＳ２０２）。該当しない場合には（Ｓ２０２においてＮＯ）、該当しない時間帯になるまで継続待機する。該当する場合には（Ｓ２０２においてＹＥＳ）、エア抜き運転を指示する（ステップＳ３０３）。その後のステップは上述の実施形態と同一であるので説明を省略する。
【００３１】
（第三の実施形態）
【００３２】
さらに本発明の他の実施形態について図６をも参照して説明する。本実施形態の構成も図１の温水式暖房システム１と同一であるので重複説明を省略する。本実施形態が上述の実施形態と異なる点は、本実施形態では、自動風呂機能のうち湯張り指示信号を検知してエア抜き運転を行う点である。
【００３３】
前回エア抜き運転からの経過時間の判定については上述の実施形態と同一である（ステップＳ３０１）。７２０時間を超えた場合、エア抜き運転制御部４４は、次に自動風呂機能制御部４３において湯張り指示信号を受けているかを判定する（ステップＳ３０２）。該当しない場合には（Ｓ３０２においてＮＯ）、該当しない時間帯になるまで継続待機する。該当する場合には（Ｓ３０２においてＹＥＳ）、エア抜き運転を指示する（ステップＳ３０３）。運転中、追焚指示があったかが判断される（ステップＳ３０４）。自動風呂機能制御部４３に追焚指示があったときは、エア抜きを一時中断し（ステップＳ３０５）、その後、自動風呂機能制御部４３が追焚終了信号を受信したかを監視し（ステップＳ３０６）、終了したときはエア抜きを再開する（ステップＳ３０７）。所定の時間エア抜き運転をしたことを確認し（ステップＳ３０８）、時間経過後エア抜き運転を終了する（ステップＳ３０９）。終了後、タイマーをリセットして改めてカウントを行う（ステップＳ３１０）。
【００３４】
（第四の実施形態）
【００３５】
さらに本発明の他の実施形態について、図７、図８を参照して説明する。図７において本実施形態に係る温水暖房システム３０が上述の実施形態と異なる点は、本実施形態では浴室３３の天井部に設置された浴室乾燥暖房機３２を備えていることである。また、全自動風呂用リモコン７に代えて浴室乾燥暖房機用リモコン３１を備えていることである。リモコン３１と熱源機２に内蔵されている制御部１０間は通信制御線Ｃ４で結ばれており、リモコン３１から熱源機２に対して指示可能に構成されている。さらに、暖房系統が集合配管部と分岐配管部に分かれていることである。すなわち、往き側系統は、集合配管部Ｈ３から分岐部３５において分岐配管部Ｈ１、Ｈ５に分かれ、それぞれ床暖房パネル３、浴室乾燥暖房機３２に導かれる。戻り側系統は、床暖房パネル３、浴室乾燥暖房機３２から分岐配管部Ｈ２、Ｈ６を経て合流部３６において集合配管部Ｈ３に導かれる。その他の構成については上述の実施形態と同一であるので説明を省略する。
【００３６】
次に図８をも用いて本実施形態におけるエア抜き運転制御について説明する。  前回エア抜き運転からの経過時間の判定については他の実施形態と同一である（ステップＳ７０１）。７２０時間を超えた場合、次にエア抜き制御部４４は、浴室乾燥暖房機用リモコン３１からのタイマー予約運転指示信号があるかを判定する（ステップＳ７０２）。指示がない場合には監視を継続する（Ｓ７０２においてＮＯ）。指示があった場合には（Ｓ７０２においてＹＥＳ）、次に予約時刻と現在時刻との差異を判定する（ステップＳ７０３）。差異が３０分以内であればエア抜き運転を開始する（ステップＳ７０４）。その後のフロー（ステップＳ７０６以降）については上述の実施形態と同一であるので説明を省略する。
【００３７】
なお、上記各実施形態においては、タイマーリセットはエア抜き終了後に行う形態としたが、これに限らず所定の時間（例えば７２０時間）経過後、直ちにリセットする形態としてもよい。
【産業上の利用可能性】
【００３８】
本発明は、温水配管のエア抜き運転制御を行う温水式暖房システムに広く利用可能である。
【図面の簡単な説明】
【００３９】
【図１】本発明の第一の実施形態に係る温水式暖房システム１を示す図である。
【図２】熱源機２内部の詳細を示す図である。
【図３】熱源機２に内蔵される制御部１０の機能ブロックを示す図である。
【図４】第一の実施形態におけるエア抜き運転制御フローを示す図である。
【図５】第二の実施形態におけるエア抜き運転制御フローを示す図である。
【図６】第三の実施形態におけるエア抜き運転制御フローを示す図である。
【図７】第四の実施形態に係る温水式暖房システム１を示す図である。
【図８】第四の実施形態におけるエア抜き運転制御フローを示す図である。
【符号の説明】
【００４０】
１、３０ ・・・・・温水式暖房システム
２ ・・・・・熱源機
３ ・・・・・床暖房パネル
４ ・・・・・浴槽
５ ・・・・・熱源機リモコン
７ ・・・・・全自動風呂用リモコン
１０ ・・・・・制御部
１１ ・・・・・シスターン
１５ ・・・・・水位センサ
３１ ・・・・・浴室乾燥暖房機用リモコン
３２ ・・・・・浴室乾燥暖房機
Ｂ１ ・・・・・追焚往側配管
Ｂ２ ・・・・・追焚戻側配管
Ｈ１ ・・・・・暖房往側配管
Ｈ２ ・・・・・暖房戻側配管
Ｈ３ ・・・・・集合配管部
Ｖ1、Ｖ２ ・・・・・熱動弁
Ｖ３ ・・・・・電磁弁
Ｖ４ ・・・・・逆止弁
Ｗ１ ・・・・・水道供給配管
Ｗ２ ・・・・・給湯配管
【図１】
2005195311.tif 000003
【図２】
2005195311.tif 000004
【図３】
2005195311.tif 000005
【図４】
2005195311.tif 000006
【図５】
2005195311.tif 000007
【図６】
2005195311.tif 000008
【図７】
2005195311.tif 000009
【図８】
2005195311.tif 000010